(57)【要約】      （修正有）【課題】ラケットカバーをラケットヘッドに被せて素振り練習をしたときに、ラケットカバーから空気が裏側に適度に抜けるので、ラケットヘッドにかかる空気の抵抗が大きくなり過ぎずラケットヘッドに適度な負荷が掛かった状態で素振りの練習をすることができる。【解決手段】テニスラケット２６のヘッドの一方の面を覆う略ナス形の第一被覆面部１２と、ヘッドの他方の面を覆う略ナス形の第二被覆面部１４と、該ヘッドのフレームに沿って第一被覆面部１２の周縁と第二被覆面部１４の周縁を連結する連結部１６とからなり、第一被覆面部１２と第二被覆面部１４は網目状の生地からなり、連結部１６はテニスラケット２６のスロートからフレームサイドにかけてファスナー１８により開閉可能になっている。【選択図】図１
0003119170.tif 000002
【実用新案登録請求の範囲】
【請求項１】
テニスラケットのヘッドの一方の面を覆う略ナス形の第一被覆面部と、該ヘッドの他方の面を覆う略ナス形の第二被覆面部と、該ヘッドのフレームに沿って該第一被覆面部の周縁と該第二被覆面部の周縁を連結する連結部とからなり、該第一被覆面部と該第二被覆面部は網目状の生地からなり、該連結部はテニスラケットのスロートからフレームサイドにかけてファスナーにより開閉可能になっていることを特徴とするラケットカバー。
【請求項２】
前記第一被覆面部及び／又は前記第二被覆面部には錘を入れるための錘収納ポケットが設けられていることを特徴とする請求項１に記載のラケットカバー。
【請求項３】
前記第一被覆面部及び前記第二被覆面部には所望の球種を打つために必要なラケットヘッドの対地角度を示す球種ガイド表示が設けられていることを特徴とする請求項１又は２に記載のラケットカバー。
【請求項４】
前記第一被覆面部又は前記第二被覆面部の首部には該第一被覆面部及び該第二被覆面部の首部をテニスラケットのスロート部に密着・固定させる固定手段を備えていることを特徴とする請求項１〜３のいずれかに記載のラケットカバー。
【考案の詳細な説明】
【技術分野】
【０００１】
本考案は、テニスの素振り練習においてスイングの負荷を大きくするために使用することができるラケットカバーに関するものである。
【背景技術】
【０００２】
テニスの練習においては、体重移動を含めたスイングフォームを研究したり、種々の場面で意識せずに所望のスイングフォームが取れるようにするために、同じスイングフォームで繰り返しテニスラケットを振る素振り練習をすることがある。
【０００３】
また、テニスラケットのスイングに必要な筋力をアップさせるために、テニスラケットを繰り返し振る素振り練習をすることもある。
【０００４】
そして、テニスラケットを単に振るだけの素振り練習は、テニスボールを打たないのでテニスラケットの振りの負荷が軽過ぎてスイングフォームが流れ気味になったり、筋力アップに役立つ程の負荷がかからないので、テニスラケットにラケットカバーを被せた状態で素振りの練習をすることがある。
【０００５】
しかし、ラケット面をラケットカバーで覆って素振りをすると、ラケット面が全面で空気をとらえてしまうので、ラケットヘッドがスイングしたい方向に行かず、上下左右に逃げ、非常に振り難かったり、ラケットが重くなり過ぎるという問題があった。
【０００６】
また、ラケットを振るときにラケット面がラケットヘッドの前進方向に対して斜めになっているとラケットを回転させようとする空気抵抗がラケット面にかかるので、グリップの回転を手首で抑えながらラケットを振らなければならなかった。
【特許文献１】特開平０９−３１３６５９号公報
【考案の開示】
【考案が解決しようとする課題】
【０００７】
解決しようとする問題点は、ラケットカバーを被せたテニスラケットの素振り練習において、ラケットが重くなり過ぎたり、ラケットヘッドが上下左右に逃げて振り難かったり、ラケットがねじれるのをグリップを握っている手首で抑えなければならない点である。
【課題を解決するための手段】
【０００８】
本考案は、テニスラケットにラケットカバーを被せて振ったときに、空気抵抗で重くなり過ぎず、且つラケット面が空気抵抗でぶれないようにするため、網状の素材でラケットカバーを作ったことを最も主要な特徴とする。
【０００９】
すなわち、本考案は、テニスラケットのヘッドの一方の面を覆う略ナス形の第一被覆面部と、該ヘッドの他方の面を覆う略ナス形の第二被覆面部と、該ヘッドのフレームに沿って該第一被覆面部の周縁と該第二被覆面部の周縁を連結する連結部とからなり、該第一被覆面部と該第二被覆面部は網目状の生地からなり、該連結部はテニスラケットのスロートからフレームサイドにかけてファスナーにより開閉可能になっていることを特徴とするものである。
【００１０】
ここで、前記第一被覆面部及び／又は前記第二被覆面部には錘を入れるための錘収納ポケットが形成されていてもよい。また、前記第一被覆面部及び前記第二被覆面部には所望の球種を打つために必要なラケットヘッドの対地角度を示す球種ガイド表示が設けられていてもよい。また、前記第一被覆面部又は前記第二被覆面部の首部には該第一被覆面部及び該第二被覆面部の首部をテニスラケットのスロート部に密着・固定させる固定手段を備えていてもよい。
【考案の効果】
【００１１】
本考案のラケットカバーは、ラケットヘッドに被せて素振り練習をしたときに、ラケットカバーから空気が裏側に適度に抜けるので、ラケットヘッドにかかる空気の抵抗が大きくなり過ぎず適度になり、従って、ラケットヘッドに適度な負荷がかかった状態で素振りの練習をすることができるという利点がある。
【００１２】
また、本考案のラケットカバーは、腕の筋力アップを図る目的でラケットヘッドに被せて素振り練習をしたときに、ラケットカバーから空気が適度に抜けるので、ラケットヘッドにかかる空気の抵抗が大きくなり過ぎず適度になり、ラケットを無理に振らなくて済み、従って、素振り練習において腕の筋肉を痛めなくて済むという利点がある。
【００１３】
また、本考案のラケットカバーは、ラケットヘッドにラケットカバーをかけて素振り練習をしたときに、ラケットカバーから空気が裏側に適度に抜けるので、ラケットを回転させる力は大きくならず、グリップの回転を手首で強く押さえる必要がなく、従って、グリップの回転を手首で抑えながらスイングをする、という不自然な練習をしなくて済むという利点がある。
【００１４】
また、本考案のラケットカバーは、ラケットヘッドにラケットカバーをかけて素振り練習をしたときに、ラケットカバーから空気が裏側に適度に抜けるので、ラケットを回転させる力は大きくならず、グリップの回転を手首で強く押さえる必要がなく、従って、手首を痛めなくて済むという利点がある。
【００１５】
また、本考案のラケットカバーは、前記第一被覆面部及び／又は前記第二被覆面部に錘収納ポケットを設けた場合、錘収納ポケットに錘（例：単行本）を入れておけば、所望の重さでテニスラケットの素振り練習をすることができるという利点がある。
【００１６】
また、本考案のラケットカバーは、前記第一被覆面部及び前記第二被覆面部に所望の球種を打つために必要なラケットヘッドの対地角度を示す球種ガイド表示を設けた場合、テニスラケットの角度を変えて容易に所望の球種を得るためのフォームを取ることができるという利点がある。
【００１７】
また、本考案のラケットカバーは、前記第一被覆面部又は前記第二被覆面部の首部に該第一被覆面部及び該第二被覆面部をテニスラケットのスロート部に密着させる密着手段を設けた場合、ラケットカバーをラケットヘッドに固定させた状態で素振りの練習をすることができるという利点がある。
【考案を実施するための最良の形態】
【００１８】
テニスラケットが適度に重くなり、且つラケット面が安定した状態で素振りの練習をすることができるようにするという目的を、簡単な構成で、ラケットカバーの機能を犠牲にすることなく実現した。
【実施例１】
【００１９】
図１は、本考案に係るラケットカバーの一実施例を示す斜視図、図２は図１のラケットカバーの平面図、図３は図１のラケットカバーの裏面図、図４は図１のラケットカバーのＡ−Ａ矢視断面図である。
【００２０】
これらの図において、１０はラケットカバーであり、ラケットカバー１０は、第一被覆面部１２と、第一被覆面部１２に対向し、所定間隔をおいて設けられた第二被覆面部１４と、第一被覆面部１２の周縁と第二被覆面部１４の周縁とを連結している連結部１６とからなる。
【００２１】
第一被覆面部１２及び第二被覆面部１４は網目状の生地からなり、第一被覆面部１２及び第二被覆面部１４はラケット面と同程度の形状・大きさを有する略ナス形をしている。連結部はテニスラケットのスロートからフレームサイドにかけてファスナー１８により開閉可能になっている。
【００２２】
第一被覆面部１２の内側の中央付近（スイートスポット）には単行本等の錘を入れるための錘収納ポケット２０が設けられている。錘収納ポケット２０は第二被覆面部１４の内側の中央付近に設けても良い。
【００２３】
また、第一被覆面部１２及び第二被覆面部１４には所望の球種（Ｔｏｐ、Ｓｉｄｅ、Ｕｎｄｅｒ、Ｌｏｂｂｉｎｇ）を打つために必要なラケットヘッドの対地角度を示す球種ガイド表示２２が設けられている。球種ガイド表示２２は球種と矢印とからなる。
【００２４】
また、第一被覆面部１２又は第二被覆面部１４の首部２４には第一被覆面部１２及び第二被覆面部１４の首部２４をテニスラケット２６のスロート部２８に密着・固定させる固定手段｛例：マジックテープ（登録商標）｝３０が取り付けられている。
【００２５】
次に、上記ラケットカバーの実際の使用方法法及びその作用について、図５〜図７を参照しながら説明する。
【００２６】
まず、図５に示すように、ラケットヘッドに上記ラケットカバー１０を被せ、固定手段３０であるマジックテープ（登録商標）を第一被覆面部１２及び第二被覆面部１４の首部に巻き付け、第一被覆面部１２及び第二被覆面部１４の首部をテニスラケット２６のスロート部に密着・固定させる。
【００２７】
次に、図６に示すように、このテニスラケット２６を振る。テニスラケットを振ると、ラケットカバー１０の第一被覆面部１２及び第二被覆面部１４が空気をとらえて重くなる。ただし、第一被覆面部１２及び第二被覆面部１４が受けた空気の一部は第一被覆面部１２及び第二被覆面部１４の生地の穴を通って裏側に抜け、空気の抵抗を緩和するので、ラケットが受ける負荷は、ラケットカバー１０を被せないときと比べ、適度になる。テニスの練習者はラケット面に適度な空気抵抗を受け、適度な負荷を受けた状態でテニスラケット２６を振ることができる。
【００２８】
また、第一被覆面部１２及び第二被覆面部１４が受けた空気の一部は第一被覆面部１２及び第二被覆面部１４の生地の穴を通って裏側に抜けるので、ラケット面がラケットヘッドの進行方法に対して斜めになっていてもラケットが回転する力はそれほど大きくならず、従って、グリップを握っている手首にラケットの回転を押さえるための負担がかからない。
【００２９】
なお、テニスラケットのスイングにおける負荷をもう少し大きくしたい場合は、図７に示すように、錘収納ポケットに適当な重さの文庫本等を収納すれば、文庫本等の分だけテニスラケットを重くすることができる。また、文庫本の面積だけラケットケースの網目が詰まり、空気抵抗が増し、テニスラケットのスイング負荷を重くすることができる。
【産業上の利用可能性】
【００３０】
本考案はスイングするときの負荷を適度に大きくする必要がある他のスポーツ用品にも適用できる。
【図面の簡単な説明】
【００３１】
【図１】本考案に係るラケットカバーの一実施例を示す斜視図である。
【図２】図１のラケットカバーの平面図である。
【図３】図１のラケットカバーの裏面図である。
【図４】図１のラケットカバーのＡ−Ａ矢視断面図である。
【図５】図１のラケットカバーにラケットを入れた状態を示す斜視図である。
【図６】本考案に係るラケットカバーを被せたテニスラケットをスイングしている状態を示す説明図である。
【図７】図１のラケットカバーの錘収納ポケットに文庫本を入れ、該ラケットカバーにテニスラケットを入れた状態を示す斜視図である。
【符号の説明】
【００３２】
１０  ラケットカバー
１２  第一被覆面部
１４  第二被覆面部
１６  連結部
１８  ファスナー
２０  錘収納ポケット
２２  球種ガイド表示
２４  首部
２６  テニスラケット
２８  スロート部
３０  固定手段
【図１】
0003119170.tif 000003
【図２】
0003119170.tif 000004
【図３】
0003119170.tif 000005
【図４】
0003119170.tif 000006
【図５】
0003119170.tif 000007
【図６】
0003119170.tif 000008
【図７】
0003119170.tif 000009